(57)【要約】  本発明は、スライド型の移動通信端末機であって、この端末機は、ディスプレー部と第１の機能キーパッド部を有する上部本体と、この上部本体の上下流方向に相対スライド可能に結合され、下部及び上部側にそれぞれ入力キーパッド部と、第２の機能キーパッド部とを有する下部本体と、前記上下部本体のうちの一方に上下流方向のほぼ全長に延びるスライドレールと、残りの本体の上下流方向の中間に位置し、前記スライドレールに挿入されるスライド突起とを有し、上下部本体をスライド可能に結合させるスライド締結部とを含むことを特徴とする。
2008509593.tif 000002
【特許請求の範囲】
【請求項１】
スライド型の移動通信端末機であって、
ディスプレー部と第１の機能キーパッド部を有する上部本体と、
この上部本体の上下流方向に相対スライド可能に結合され、下部及び上部側にそれぞれ入力キーパッド部と、第２の機能キーパッド部とを有する下部本体と、
前記上下部本体のうちの一方に上下流方向のほぼ全長に延びるスライドレールと、残りの本体の上下流方向の中間に位置し、前記スライドレールに挿入されるスライド突起とを有し、上下部本体をスライド可能に結合させるスライド締結部とを含むことを特徴とするスライド型の移動通信端末機。
【請求項２】
前記第２の機能キーパッド部は、前記上部本体を下部本体に対して下流側にスライドさせると外部に露出するように、前記第１の機能キーパッド部と反対側の前記下部本体の上部側に配置されることを特徴とする請求項１に記載のスライド型の移動通信端末機。
【請求項３】
前記スライドレールの上流、中間及び下流側のそれぞれには、前記スライド突起と局部的にかみ合う固定部が形成されることを特徴とする請求項１または請求項２に記載のスライド型の移動通信端末機。
【請求項４】
前記スライド突起が前記スライドレールの上流側の固定部とかみ合うと、前記ディスプレー部は、移動通信端末機の中央に配置されることを特徴とする請求項３に記載のスライド型の移動通信端末機。
【請求項５】
前記第１の機能キーパッド部及び第２の機能キーパッド部は、それぞれ方向切り換えキーと選択キーのうちの１つを有することを特徴とする請求項１乃至請求項４のいずれかに記載のスライド型の移動通信端末機。
【請求項６】
前記上部本体の上流側及び下部本体の上流側のうちのいずれか一側には、デジタルカメラモジュール部がさらに設置されることを特徴とする請求項１乃至請求項５のいずれかに記載のスライド型の移動通信端末機。
【請求項７】
前記上下部本体は、初期位置時に待機モード状態であり、上部本体が下部本体に対して上流側及び下流側にスライド移動したとき、それぞれ通信モード及び付加機能モードに切り換えられることを特徴とする請求項１乃至請求項５のいずれかに記載のスライド型の移動通信端末機。
【請求項８】
前記付加機能モードは、ゲームモード、ＤＭＢモード、及びカメラモードのいずれかであることを特徴とする請求項７に記載のスライド型の移動通信端末機。
【請求項９】
前記付加機能としてゲームモードを選択する場合、前記第１及び第２の機能キーパッド部は全てゲーム機能キーとして活性化されることを特徴とする請求項８に記載のスライド型の移動通信端末機。
【請求項１０】
前記付加機能としてゲームモード、カメラモード、またはＤＭＢモードを選択する場合、ディスプレー部は水平のワイド画面配置に切り換えられることを特徴とする請求項７乃至請求項９のいずれかに記載のスライド型の移動通信端末機。
【発明の詳細な説明】
【技術分野】
【０００１】
本発明は、移動通信端末機に関し、より詳細には、端末機本体の一部が上下両方向にスライド駆動されることによって、待機モードから通話モード及び特殊機能モードに切り換え可能なスライド型の移動通信端末機に関する。
【背景技術】
【０００２】
最近では、移動通信技術の飛躍的な発展に伴い、移動通信端末機をはじめ、個人用移動通信機器が広く普及され、個人の必須携帯品となっている。その中で、移動通信端末機は、既にＭＰ３、デジタルカメラ、キャムコーダ、ＴＶなど、各種オーディオビデオ（ＡＶ）機器のみならず、ＰＤＡなどの情報機器の機能を統合し、デジタルマルチメディア機器として人気を集めている。
【０００３】
さらに、移動通信端末機は、ハードディスクドライブ（ＨＤＤ）、無線ラン、Bluetooth、指紋認識、無線発信機、デジタルマルチメディア放送（ＤＭＢ）、ゲーム機などの付加機能及び構成を実現するなど、その移動通信端末機の応用分野は無限である。
【０００４】
このような様々な付加機能を実現するためには、各付加機能の作動モードへの切り換えが簡単であり、また、効率的な駆動を可能とする移動通信端末機の作動方式の設計が要求される。
【０００５】
移動通信端末機は、その作動形態によって、バータイプ、フリップタイプ、フォルダータイプ、スライドタイプなどがあり、ゲームなどのエンターテインメント環境やデジタルマルチメディア放送、カメラ、動画など、様々なマルチメディア環境を楽しむためにはスライドタイプが効果的である。
【０００６】
このようなスライドタイプの移動通信端末機は、上部及び下部の本体を有し、その上部及び下部の本体にそれぞれスライド溝と突起を形成し、上部本体が下部本体に対して上方にスライドした時にのみ通信モードに切り換えられる方式が主流であり、その例として、韓国特許公開第10-2002-0052542号公報に「スライド型の移動通信端末機」について開示されている。
【０００７】
しかし、このようなスライド型の移動通信端末機は、通常の待機モードと通信モードとの間の切り換えの際に、上部本体が下部本体に対して上方移動及び初期位置に戻ることのみ可能であるので、端末機本体において、機能の割当可能な活用空間が、上部本体の上面部と、下部本体の上面部のうち、前記上部本体が上方スライドする時に露出する下流側のキーパッド部分に限られており、ゲーム、ＤＭＢ、カメラ、動画などのマルチメディア付加機能を実現するための構成の配置に限界があった。
【発明の開示】
【発明が解決しようとする課題】
【０００８】
そこで、本発明は上記従来の問題点に鑑みてなされたものであって、本発明の目的は、多様なゲーム機能及びマルチメディア機能の実現を容易とするために、上部本体が下部本体に対して上下流両方向にスライド可能なスライド型の移動通信端末機を提供することである。
【０００９】
また、本発明の他の目的は、上部本体が下部本体に対して下流方向にスライド可能にし、下部本体に移動通信端末機の付加機能を実現するための活用空間を付与することで、特に、端末機において、ゲームのような付加機能を便利に行うことができるような構成を提供することである。
【課題を解決するための手段】
【００１０】
上記目的を達成するためになされた本発明は、ディスプレー部と第１の機能キーパッド部を有する上部本体と、この上部本体の上下流方向に相対スライド可能に結合され、下部及び上部側にそれぞれ入力キーパッド部と、第２の機能キーパッド部とを有する下部本体と、前記上下部本体のうちの一方に上下流方向のほぼ全長に延びるスライドレールと、残りの本体の上下流方向の中間に位置し、前記スライドレールに挿入されるスライド突起とを有し、上下部本体をスライド可能に結合させるスライド締結部とを含むことを特徴とするスライド型の移動通信端末機を提供する。
【００１１】
本発明の一実施形態によれば、前記第２の機能キーパッド部は、前記上部本体を下部本体に対して下流側にスライドさせると外部に露出するように、前記第１の機能キーパッド部と反対側の前記下部本体の上流側に配置することが好ましい。
【００１２】
本発明の一実施形態によれば、前記スライドレールの上流、中間及び下流側のそれぞれには、前記スライド突起と局部的にかみ合う固定部が形成されることが好ましい。
【００１３】
本発明の一実施形態によれば、前記スライド突起が前記スライドレールの上流側の固定部とかみ合うと、前記ディスプレー部は、移動通信端末機の中央に配置されることが好ましい。
【００１４】
本発明の一実施形態によれば、前記第１の機能キーパッド部及び第２の機能キーパッド部は、方向切り換えキーと選択キーのうちの１つを有することが好ましい。
【００１５】
本発明の一実施形態によれば、前記上部本体の上流側及び下部本体の上流側のうちのいずれか一側に、デジタルカメラモジュール部をさらに設置することが好ましい。
【００１６】
本発明の一実施形態によれば、前記上下部本体は、初期位置時に待機モード状態であり、上部本体が下部本体に対して上流側及び下流側にスライド移動するとき、それぞれ通信モード及び付加機能モードに切り換えられることが好ましい。
【００１７】
本発明の一実施形態によれば、前記付加機能モードは、ゲームモード、ＤＭＢモード、及びカメラモードのいずれか１つであることが好ましい。
【００１８】
本発明の一実施形態によれば、前記付加機能としてゲームモードを選択する場合、前記第１及び第２の機能キーパッド部は全てゲーム機能キーとして活性化されることが好ましい。
【００１９】
本発明の一実施形態によれば、前記付加機能としてゲームモード、カメラモード、またはＤＭＢモードを選択したとき、ディスプレー部は水平のワイド画面配置に切り換えられることが好ましい。
【発明の効果】
【００２０】
本発明に係るスライド型の移動通信端末機は、上部本体が下部本体に対して上下流の両方向にスライド可能に構成すると同時に、移動通信端末機に提供される各種付加機能に関連する第１及び第２の機能キーパッド部を上部本体及び下部本体の上下両側に配置することによって、様々なゲーム、カメラ、ＤＭＢ等のマルチメディア機能のような付加機能を選択する場合、ディスプレー部を中間に置いて第１及び第２の機能キーパッド部を使用することができる。これにより、使用者は端末機を水平に配置し、両手で端末機の両端を握った状態で、ディスプレー画面を見ながら両手で機能キーを操作することができることから、空間活用性及び使用者の操作性に優れているという効果がある。
【発明を実施するための最良の形態】
【００２１】
以下、添付した図面を参照して本発明の好ましい実施携帯を詳細に説明する。添付した図を用いた以下の説明において、移動通信端末機及びその端末機に付加される各種機能を実現するための構成は、以下で詳しく説明しなくても当業者であれば容易に実施できるであろう。
【００２２】
図１は、本発明の一実施形態による待機モード状態のスライド型の移動通信端末機の正面図であり、図２は、本発明の一実施形態による端末機の上部本体が下部本体に対して上流側にスライドした通信モード状態のスライド型の移動通信端末機の正面図であり、図３は、本発明の一実施形態による端末機の上部本体が下部本体に対して下流側にスライドした付加機能モード状態のスライド型の移動通信端末機の正面図であり、図４は、本発明の一実施形態によるスライド型の移動通信端末機の要部を概略的に示した分解斜視図であり、図５は、本発明の一実施形態によるスライド型の移動通信端末機が待機モードから通信モード及び付加機能モードに切り換わるときのスライドの動作を順次に示した概略図である。
【００２３】
図面を参照すると、本発明に係るスライド型の移動通信端末機は、上部本体１０と、下部本体２０と、上下部本体を互いに対して上下流方向にスライド可能に結合させるスライド締結部１７、１８とを含む。
【００２４】
上部本体１０は、その上部面１０ａの上流及び下流側にそれぞれディスプレー部１１と第１の機能キーパッド部とを有し、その側面部にその他の機能キー１５を有することができる。
【００２５】
前記第１の機能キーパッド部は、方向切り換えキー１３ａ、選択キー１３ｂ、その他のメニュー、メール、ナビゲーション、検索、付加機能切り換えなどのための機能キー１４ａ、１４ｂ、１４ｃ、１４ｄ、１４ｅを含む。本発明の一実施形態によれば、前記第１の機能キーパッド部は、本発明に係る移動通信端末機がゲームモードに切り換えられたとき、ゲーム機能キー、つまりゲームボタンとしての役割をすることができる。
【００２６】
下部本体２０は、上部本体１０に対して上下流方向に相対スライド可能に結合されており、複数個の番号ボタン及びその他の入力キーを有する入力キーパッド部２１と、第２の機能キーパッド部２３とを有し、その側面部にその他の機能キー２２を有してもよい。
【００２７】
前記入力キーパッド部２１は、通信モード時に電話番号、文字などを入力するために使用される部分であって、通常の移動通信端末機に提供されている。
【００２８】
前記第２の機能キーパッド部２３は、方向切り換えキーと選択キーを含むことができ、後述するゲーム、カメラ、ＤＭＢ等の付加機能モードを選択したとき、ディスプレー画面を端末機の中間に置いて使用者が両手で付加機能を便利に操作できるという特徴を有する構成であって、本発明の好適な実施形態によれば、第１の機能キーパッド部と同様に、ゲームモードでゲーム機能キーとして活用することができる。
【００２９】
本発明によれば、前記第２の機能キーパッド部２３は、上部本体を下部本体に対して下流側にスライドさせると外部に露出するように、前記第１の機能キーパッド部と反対側の前記下部本体の上流側に配置される。このように、前記第２の機能キーパッド部を構成することによって、後述するように、本発明の端末機がゲームモードなどに切り換えられたとき、使用者はより便利なインターフェースで様々な付加機能を活用ことができる。
【００３０】
前記上下部本体を相互にスライド可能に結合させるスライド締結部は、上部本体１０の下部面１０ｂの上下流方向のほぼ全長に延びるスライドレール１８と、下部本体２０の上部面２０ａの上下流方向の中間に位置し、前記スライドレール１８に挿入されるスライド突起１７とを有する。
【００３１】
このスライド締結部により、上部本体１０は、下部本体２０に対して上流側はもちろん、下流側にもスライドすることが可能となる。
【００３２】
これは、従来のスライド型端末機において、上部本体が下部本体の上流側にのみ往復可能であり、下部本体の下流側部分だけ空間活用していたのに対し、下部本体の上下流側全体を空間活用できるというメリットがある。
【００３３】
即ち、従来のスライド型の移動通信端末機とは異なり、本発明によれば、下部本体の上流側の空間に第２の機能キーパッド部を配置することで、ディスプレー部を中間に置いて上下両側に第１及び第２の機能キーパッド部を同時に活用できるようになる。これにより、ゲーム、カメラ、ＤＭＢなどの付加機能モードを選択したとき、使用者は、端末機を水平に配置した状態で両手で端末機の両端を握り、ワイドディスプレー画面を見ながら両手で機能キーを操作できるという環境を実現でき、移動通信端末機をゲーム機として使用するときに極めて有用な機能性及び便利性を提供することができる。
【００３４】
前記スライドレール１８の上流、中間及び下流側のそれぞれには、前記スライド突起１７と局部的にかみ合う固定部１８ａ、１８ｂ、１８ｃが形成されており、上下部本体の相対スライド移動時に、端末機の待機モード、通信モード及び付加機能モードの位置で上下部本体が相互解除可能に固定される。このとき、スライド突起１７は、上流側固定部１８ａとかみ合って固定される際に、ディスプレー部１１が端末機の中央に位置するように配置される。このようにスライド突起１７を配置することにより、端末機がゲームのような付加機能モードに切り換えられたとき、上下本体が上下に最大に延びるようになり、使用者がより便利にゲームを行うことができる。
【００３５】
図５を参照して、スライド移動による端末機のモード切り換え位置の例を説明する。前記上下部本体１０、２０が互いに対応して重ねられた初期位置が待機モードであり、上部本体が下部本体に対して上流側及び下流側にスライド移動するとき、各々通信モード及び付加機能モードに切り換えられる。
【００３６】
このような各モードへの切り換えは、例えば、位置センサー、接触センサーなどの様々なセンサーなどを本体内に配置し、上下部本体間の相対位置を感知してモードの切り換えを行うことになるが、このような構成は当業者に公知であるので、その詳細な説明は省略する。
【００３７】
ゲーム、ＤＭＢ、カメラなどのような前記付加機能としてゲームモードを選択した場合、第１及び第２の機能キーパッド部は全て活性化状態となり、使用者は、前記二つの機能キーパッド部を使用してゲームを行うことができるようにする。
【００３８】
図６は、本発明の一実施形態によるスライド型の移動通信端末機がゲームモードである場合、使用者のグリップ動作の便利性の一例を示した図であり、図７は、本発明の一実施形態によるスライド型の移動通信端末機のカメラモードである場合、使用者のグリップ動作の便利性の一例を示した図である。
【００３９】
図を参照すると、上記のように、付加機能を選択した場合、上部本体が下部本体に対して下流方向に移動し、ディスプレー部を中央に置いて上下両側に第１及び第２の機能キーパッド部が配置されているので、ゲーム、カメラ、ＤＭＢ等の付加機能使用時に、使用者が端末機を水平に配置し、両手で端末機の両端を握ることができるため、ディスプレー画面を見ながら両手で機能キーを操作することができる。また、本発明の一実施形態によれば、上部本体１０と、下部本体２０には、さらに機能キー１５、２２が提供され、これらのキーをゲームオプションキーとして活用することによってより多様な方式でゲームを楽しむことができる。
【００４０】
このように、付加機能モードを選択する場合、ディスプレー部は水平のワイド画面の配置に切り換えられる。
【００４１】
下部本体２０の上流側には、デジタルカメラモジュール部３０を設けることも可能である。このカメラモジュール部は、上部本体１０の上流側にも設置可能である。
【００４２】
以上、本発明の好ましい実施形態を参照して説明したが、本発明はこれらの実施形態に限定されず、当業者であれば多様な変形及び改良が可能であるだろう。例えば、本発明では、スライド締結部において、上部本体にスライドレールが、また、下部本体にスライド突起が形成されるものと図示し説明したが、その逆の配置も可能であり、またその形状及び個数を変更することもできる。
【図面の簡単な説明】
【００４３】
【図１】本発明の一実施形態による待機モード状態のスライド型の移動通信端末機の正面図。
【図２】本発明の一実施形態による端末機の上部本体が下部本体に対して上流側にスライドした通信モード状態のスライド型の移動通信端末機の正面図。
【図３】本発明の一実施形態による端末機の上部本体が下部本体に対して下流側にスライドした付加機能モード状態のスライド型の移動通信端末機の正面図。
【図４】本発明の一実施形態によるスライド型の移動通信端末機の要部を概略的に示した分解斜視図。
【図５】本発明の一実施形態によるスライド型の移動通信端末機が待機モードから通信モード及び付加機能モードに切り換わるときのスライドの動作を順次に示した概略図。
【図６】本発明の一実施形態によるスライド型の移動通信端末機がゲームモードである場合、使用者のグリップ動作の便利性の一例を示した図。
【図７】本発明の一実施形態によるスライド型の移動通信端末機がカメラモードである場合、使用者のグリップ動作の便利性の一例を示した図。
【図１】
2008509593.tif 000003
【図２】
2008509593.tif 000004
【図３】
2008509593.tif 000005
【図４】
2008509593.tif 000006
【図５】
2008509593.tif 000007
【図６】
2008509593.tif 000008
【国際調査報告】
2008509593.tif 000009
2008509593.tif 000010
2008509593.tif 000011